(57)【要約】【課題】複数の画像を画面に表示する際に各画像を好ましい輝度で表示することを、簡易な構成で実現することができる技術を提供する。【解決手段】本発明の表示装置は、画面に画像を表示する表示手段と、表示輝度に関する情報である輝度情報を取得する第１取得手段と、第１のダイナミックレンジを有する第１画像データに基づく画像である第１画像と、前記第１のダイナミックレンジよりも狭い第２のダイナミックレンジを有する第２画像データに基づく画像である第２画像とが前記画面に表示される場合に、前記輝度情報に関連した前記表示輝度に従って前記第１画像が表示され、且つ、前記輝度情報に関連した前記表示輝度よりも低い表示輝度に従って前記第２画像が表示されるように、前記第２画像データを補正する補正手段と、を有する。【選択図】図１
2020118990.tif 000002
【特許請求の範囲】
【請求項１】
画面に画像を表示する表示手段と、
表示輝度に関する情報である輝度情報を取得する第１取得手段と、
第１のダイナミックレンジを有する第１画像データに基づく画像である第１画像と、前記第１のダイナミックレンジよりも狭い第２のダイナミックレンジを有する第２画像データに基づく画像である第２画像とが前記画面に表示される場合に、前記輝度情報に関連した前記表示輝度に従って前記第１画像が表示され、且つ、前記輝度情報に関連した前記表示輝度よりも低い表示輝度に従って前記第２画像が表示されるように、前記第２画像データを補正する補正手段と、
を有することを特徴とする表示装置。
【発明の詳細な説明】
【技術分野】
【０００１】
本発明は、表示装置及び表示方法に関する。
【背景技術】
【０００２】
近年、画像制作の分野において、従来のダイナミックレンジよりも広いダイナミックレンジを有する画像データ（静止画や動画の画像データ）が扱われる機会が増している。以後、従来のダイナミックレンジを「ＳＤＲ（スタンダードダイナミックレンジ）」と記載し、ＳＤＲよりも広いダイナミックレンジを「ＨＤＲ（ハイダイナミックレンジ）」と記載する。そして、ＨＤＲ画像データをＳＤＩ（Ｓｅｒｉａｌ  Ｄｉｇｉｔａｌ  Ｉｎｔｅｒｆａｃｅ）ケーブルで伝送するための規格（例えばＳＭＰＴＥ（米国映画テレビ技術者協会）により標準化されたＳＴ２０８４など）が提案されている。ＨＤＲ画像を高輝度で表示するための技術も提案されている。ＨＤＲ画像データは、ＨＤＲを有する画像データであり、ＨＤＲ画像は、ＨＤＲ画像データに基づく画像である。
【０００３】
一方、放送の分野では、ＳＤＲ画像データの放送が主流である。ＳＤＲ画像データは、ＳＤＲを有する画像データである。そして、全ての表示装置がＨＤＲに対応しているわけではなく、ＨＤＲに対応していない表示装置もある。そのため、ＨＤＲ画像データとＳＤＲ画像データとの両方が生成されることがある。ＨＤＲ画像データとＳＤＲ画像データとの生成方法として、撮影によりＨＤＲ画像データを生成し、ＨＤＲ画像データに基づくグレーディング作業によりＳＤＲ画像データを生成する方法がある。そして、グレーディング作業では、ＨＤＲ画像とＳＤＲ画像とを同時に確認したいというニーズがある。そのため、グレーディング作業では、ＨＤＲ画像とＳＤＲ画像との両方が表示装置で表示されることがある。ＳＤＲ画像は、ＳＤＲ画像データに基づく画像である。
【０００４】
ＨＤＲ画像データのダイナミックレンジは広いため、１０００［ｃｄ／ｍ２］などの高い表示輝度でＨＤＲ画像が表示されることが好ましい。表示輝度は、画面の輝度である。また、ＨＤＲ画像の表示輝度に比べ低い表示輝度（１００［ｃｄ／ｍ２］など）でＳＤＲ画像が表示することが好ましい。表示輝度の制御方法として、バックライトユニットの発光輝度を制御する方法がある。具体的には、バックライトユニットの発光輝度を高めることにより表示輝度を高め、且つ、バックライトユニットの発光輝度を低減することにより表示輝度を低減する方法がある。バックライトユニットの発光輝度は、バックライトユニットから発せられた光の輝度である。
【０００５】
そして、ＨＤＲ画像の表示領域に対応する領域と、ＳＤＲ画像の表示領域に対応する領域とで個別にバックライトユニットの発光輝度が制御されれば、高輝度なＨＤＲ画像と、低輝度なＳＤＲ画像との表示を１台の表示装置で実現することができる。画像の表示領域は、画面の領域であり、画像が表示される領域である。しかしながら、バックライトユニットの発光輝度を部分的に変更可能にする構成を採用すると、コストが大幅に増加する。
【０００６】
表示輝度の制御に関する技術として、特許文献１に開示の技術がある。特許文献１に開示の技術では、画面を構成する複数のブロックのそれぞれについて、そのブロックに対応する画像データが当該ブロックに対応する補正データで補正される。しかしながら、特許文献１に開示の技術は、表示画像（画面に表示された画像）の輝度むらを低減する技術であり、特許文献１に開示の技術を用いても、ＨＤＲ画像とＳＤＲ画像とのそれぞれを好ましい輝度（適切な輝度）で表示することはできない。
【先行技術文献】
【特許文献】
【０００７】
【特許文献１】特開平５−３００４５３号公報
【発明の概要】
【発明が解決しようとする課題】
【０００８】
本発明は、複数の画像を画面に表示する際に各画像を好ましい輝度で表示することを、簡易な構成で実現することができる技術を提供することを目的とする。
【課題を解決するための手段】
【０００９】
本発明の第１の態様は、
画面に画像を表示する表示手段と、
表示輝度に関する情報である輝度情報を取得する第１取得手段と、
第１のダイナミックレンジを有する第１画像データに基づく画像である第１画像と、前記第１のダイナミックレンジよりも狭い第２のダイナミックレンジを有する第２画像データに基づく画像である第２画像とが前記画面に表示される場合に、前記輝度情報に関連した前記表示輝度に従って前記第１画像が表示され、且つ、前記輝度情報に関連した前記表示輝度よりも低い表示輝度に従って前記第２画像が表示されるように、前記第２画像データを補正する補正手段と、
を有することを特徴とする表示装置である。
【００１０】
本発明の第２の態様は、
表示輝度に関する情報である輝度情報を取得する取得ステップと、
第１のダイナミックレンジを有する第１画像データに基づく画像である第１画像と、前記第１のダイナミックレンジよりも狭い第２のダイナミックレンジを有する第２画像データに基づく画像である第２画像とが画面に表示される場合に、前記輝度情報に関連した前記表示輝度に従って前記第１画像が表示され、且つ、前記輝度情報に関連した前記表示輝度よりも低い表示輝度に従って前記第２画像が表示されるように、前記第２画像データを補正する補正ステップと、
前記画面に画像を表示する表示ステップと、
を有することを特徴とする表示方法である。
【００１１】
本発明の第３の態様は、上述した表示方法の各ステップをコンピュータに実行させることを特徴とするプログラムである。
【発明の効果】
【００１２】
本発明によれば、複数の画像を画面に表示する際に各画像を好ましい輝度で表示することを、簡易な構成で実現することができる。
【図面の簡単な説明】
【００１３】
【図１】実施例１に係る表示装置の構成の一例を示すブロック図
【図２】実施例１に係る階調特性とダイナミックレンジとの関係の一例を示す図
【図３】実施例１に係る表示画像の一例を示す図
【図４】実施例１に係る表示装置の処理フローの一例を示すフローチャート
【図５】実施例１に係る階調値と表示輝度との関係の一例を示す図
【図６】実施例２に係る規格輝度と表示輝度との関係の一例を示す図
【図７】実施例２に係る表示装置の構成の一例を示すブロック図
【図８】実施例３に係る表示装置の構成の一例を示すブロック図
【図９】実施例４に係る表示装置の構成の一例を示すブロック図
【図１０】実施例４に係る表示輝度の一例を示す図
【発明を実施するための形態】
【００１４】
＜実施例１＞
以下、本発明の実施例１について説明する。なお、本実施例に係る画像処理装置が表示装置に設けられている例を以下で説明するが、画像処理装置は、表示装置とは別体の装置であってもよい。画像処理装置としては、例えば、パーソナルコンピュータ（ＰＣ）などを使用することができる。また、表示装置が液晶表示装置である例を以下で説明するが、表示装置は液晶表示装置に限られない。例えば、表示パネルと、表示パネルに光を照射する発光部と、を有する他の表示装置が使用されてもよい。表示パネルは、発光部からの光を透過することにより画面に画像を表示する。具体的には、ＭＥＭＳ（Ｍｉｃｒｏ  Ｅｌｅｃｔｒｏ  Ｍｅｃｈａｎｉｃａｌ  Ｓｙｓｔｅｍ）シャッターを有するＭＥＭＳシャッター方式表示装置、プロジェクター、等が使用されてもよい。有機ＥＬ表示装置、プラズマ表示装置、等の自発光型の表示装置が使用されてもよい。
【００１５】
図１は、本実施例に係る表示装置１００の構成の一例を示すブロック図である。表示装置１００は、画像入力部１０１、画像処理部１０４、輝度補正部１０５、画像レイアウト部１０６、表示部１０７、ＣＰＵ１０８、ＵＩ（ユーザインターフェース）部１０９、表示制御部１１０、表示判断部１１１、及び、補正情報生成部１１２を有する。
【００１６】
画像入力部１０１は、表示装置１００の外部から画像データ（入力画像データ）を取得し、入力画像データを画像処理部１０４へ出力する。画像入力部１０１は、例えば、ＳＤＩ入力端子と処理回路とを有する。ＳＤＩ入力端子は、ＳＤＩ（Ｓｅｒｉａｌ  Ｄｉｇｉｔａｌ  Ｉｎｔｅｒｆａｃｅ）規格に準じた入力端子であり、処理回路は、ＳＤＩ入力端子に入力された画像データに所定の処理を施し、所定の処理が施された後の画像データを画像処理部１０４へ出力する。所定の処理は、例えば、画像データのデータフォーマットを、表示装置１００の内部で処理可能なデータフォーマットへ変換する処理である。
【００１７】
本実施例では、画像入力部１０１は、第１入力部１０２と第２入力部１０３とを有する。第１入力部１０２と第２入力部１０３とのそれぞれは、入力画像データを取得し、入力画像データを画像処理部１０４へ出力する。以後、第１入力部１０２によって取得された入力画像データを「第１入力画像データ」と記載し、第２入力部１０３によって取得された入力画像データを「第２入力画像データ」と記載する。第１入力画像データは、第２入力画像データと同じであってもよいし、異なっていてもよい。
【００１８】
画像処理部１０４は、表示制御部１１０により設定された階調特性情報（階調特性に関する情報）に基づいて、階調特性情報に関連した階調特性に入力画像データの階調特性を変換する。それにより、変換画像データが生成される。画像処理部１０４は、変換画像データを輝度補正部１０５へ出力する。例えば、階調特性情報に対応する変換情報を用いて、入力画像データの階調特性が変換される。階調特性は、階調値と輝度との対応関係に関する特性である。変換情報は、入力画像データの階調値と、入力画像データの階調値を変換画像データの階調値へ補正する変換補正値または変換画像データの階調値との対応関係を示す情報（１次元のルックアップテーブル、関数、等）である。
【００１９】
本実施例では、第１入力画像データに対応する階調特性情報である第１特性情報と、第２入力画像データに対応する階調特性情報である第２特性情報とを個別に設定することができる。画像処理部１０４に第１入力画像データが入力された場合には、画像処理部１０４は、第１特性情報に基づいて第１入力画像データの階調特性を変換することにより第１変換画像データを生成し、第１変換画像データを輝度補正部１０５へ出力する。画像処理部１０４に第２入力画像データが入力された場合には、画像処理部１０４は、第２特性情報に基づいて第２入力画像データの階調特性を変換することにより第２変換画像データを生成し、第２変換画像データを輝度補正部１０５へ出力する。
【００２０】
輝度補正部１０５は、後述する補正情報生成部１１２により生成された補正情報を用いて変換画像データを補正することにより、補正画像データを生成する。そして、輝度補正部１０５は、補正画像データを画像レイアウト部１０６へ出力する。本実施例では、補正情報は、変換画像データの各階調値を補正画像データの階調値へ補正する輝度補正値（変換画像データの取り得る複数の階調値の間で共通の１つの輝度補正値）である。補正情報として、変換画像データの階調値と、変換画像データの階調値を補正画像データの階調値へ補正する輝度補正値または補正画像データの階調値との対応関係を示す情報（１次元のルックアップテーブル、関数、等）を使用することもできる。輝度補正値は、階調値に乗算するゲイン値、階調値に加算するオフセット値、等である。
【００２１】
本実施例では、第１変換画像データに対応する補正情報である第１補正情報と、第２変換画像データに対応する補正情報である第２補正情報とを個別に決定することができる。輝度補正部１０５に第１変換画像データが入力された場合には、輝度補正部１０５は、第１補正情報を用いて第１変換画像データを補正することにより第１補正画像データを生成し、第１補正画像データを画像レイアウト部１０６へ出力する。輝度補正部１０５に第２変換画像データが入力された場合には、輝度補正部１０５は、第２補正情報を用いて第２変換画像データを補正することにより第２補正画像データを生成し、第２補正画像データを画像レイアウト部１０６へ出力する。
【００２２】
画像レイアウト部１０６は、表示制御部１１０により設定されたレイアウト情報に基づいて、補正画像データに基づく画像である補正画像を配置するレイアウト処理を行うことにより、表示画像データを生成する。第１補正画像データのみが画像レイアウト部１０６に入力された場合には、画像レイアウト部１０６は、第１補正画像データに基づく画像である第１補正画像を配置するレイアウト処理を行うことにより、表示画像データを生成する。第２補正画像データのみが画像レイアウト部１０６に入力された場合には、画像レイアウト部１０６は、第２補正画像データに基づく画像である第２補正画像を配置するレイアウト処理を行うことにより、表示画像データを生成する。そして、第１補正画像データと第２補正画像データとが画像レイアウト部１０６に入力された場合には、画像レイアウト部１０６は、第１補正画像と第２補正画像とを配置するレイアウト処理を行うことにより、表示画像データを生成する。画像レイアウト部１０６は、表示画像データを表示部１０７へ出力する。レイアウト情報は、補正画像の表示領域を示す情報である。画像の表示領域は、画面の領域であり、画像が表示される領域である。レイアウト情報として、例えば、表示領域の代表座標（始点座標、終点座標、中心座標、等）、表示領域の始点座標と表示領域の終点座標との組み合わせ、表示領域の代表座標と表示領域のサイズ（幅と高さ）との組み合わせ、等が使用される。
【００２３】
表示部１０７は、表示制御部１１０により設定された輝度情報（表示輝度に関する情報）に基づいて、表示画像データに基づく画像を表示する。表示輝度は、画面の輝度である。表示部１０７の解像度（画面解像度）は特に限定されないが、本実施例では、表示部１０７は、水平方向４１９０画素×垂直方向２１６０画素の解像度を有する。本実施例では、表示部１０７は、バックライトユニット（発光部）と液晶パネル（表示パネル）とを有する。バックライトユニットは、輝度情報に応じた発光輝度で発光し、液晶パネルに光を照射する。バックライトユニットの発光輝度は、バックライトユニットから発せられた光の輝度である。本実施例では、表示輝度の上限（上限表示輝度）に関する情報が輝度情報として使用される。そして、バックライトユニットは、ＨＤＲ画像が表示される領域とＳＤＲ画像が表示される領域とを含む液晶パネル全体（表示パネル全体；画面全体）の領域に対して、輝度情報に関連した表示輝度（上限表示輝度）に対応する発光輝度で発光する。輝度情報に関連した表示輝度（上限表示輝度）に対応する発光輝度とは、例えば、上限表示輝度と同じ発光輝度、または、上限表示輝度よりも高い発光輝度である。具体的には
、表示部１０７に入力される階調値の上限に対応する表示輝度が、輝度情報に関連した表示輝度（上限表示輝度）に一致するように、バックライトユニットの発光輝度が制御される。液晶パネルは、表示画像データに応じた透過率で、バックライトユニットからの光を透過する。それにより、表示画像データに基づく画像が表示される。
【００２４】
なお、輝度情報に関連した表示輝度は、上限表示輝度に限られない。また、表示部１０７の構成は上記構成に限られない。例えば、表示部１０７は、自発光型の表示パネルであってもよい。表示部１０７が自発光型の表示パネルである場合には、例えば、輝度情報に応じて、表示部１０７に入力される階調値と、表示輝度との対応関係が変更される。具体的には、表示部１０７に入力される階調値の上限に対応する表示輝度が、輝度情報に関連した表示輝度（上限表示輝度）に一致するように、表示部１０７に入力される階調値と、表示輝度との対応関係が変更される。
【００２５】
ＣＰＵ１０８は、不図示の不揮発性メモリに格納されたプログラムに従い、表示装置１００の動作を制御する。
【００２６】
ＵＩ部１０９は、表示装置１００に対するユーザ操作を受け付け、行われたユーザ操作に応じた処理を行う。ＵＩ部１０９としては、例えば、表示装置１００の筺体に設けられたボタン、リモートコントローラ、キーボード、マウス、等が使用される。本実施例では、ＵＩ部１０９は、表示輝度（上限表示輝度）を指定するユーザ操作、変換画像データの階調特性を指定するユーザ操作、等を受け付ける。ユーザが指定可能な階調特性は特に限定されないが、本実施例では、ユーザは、ガンマ２．２特性、ガンマ２．６特性、ＨＬＧ（Ｈｙｂｒｉｄ  Ｌｏｇ  Ｇａｍｍａ）特性、及び、ＰＱ特性のいずれかを指定することができる。また、ユーザは、第１変換画像データの階調特性と、第２変換画像データの階調特性とを個別に指定することができる。
【００２７】
ガンマ２．２特性はガンマ値＝２．２の階調特性であり、ガンマ２．６特性はガンマ値＝２．６の階調特性である。ガンマ２．２特性、ガンマ２．６特性、等は「ガンマ特性」と呼ばれ、ガンマ特性へ階調特性を変換する処理は「ガンマ補正」、「ガンマ変換」、等と呼ばれる。ＨＬＧ（Ｈｙｂｒｉｄ  Ｌｏｇ  Ｇａｍｍａ）特性は、輝度の増加に対して階調値が対数的に増加する階調特性であるＬｏｇ特性と、ガンマ特性とを組み合わせた階調特性である。ＰＱ特性は、ＳＭＰＴＥ（米国映画テレビ技術者協会）により標準化された規格であるＳＴ２０８４に対応する階調特性である。
【００２８】
本実施例では、階調特性に対応するダイナミックレンジが、ＨＤＲ（ハイダイナミックレンジ）とＳＤＲ（スタンダードダイナミックレンジ）との２種類のダイナミックレンジのいずれかに分類される。具体的には、図２に示すように、ガンマ２．２特性に対応するダイナミックレンジとガンマ２．６特性に対応するダイナミックレンジとは、ＳＤＲに分類される。そして、ＨＬＧ特性に対応するダイナミックレンジとＰＱ特性に対応するダイナミックレンジとは、ＨＤＲに分類される。ＳＤＲは、これまで広く利用されてきたダイナミックレンジであり、ＨＤＲは、ＳＤＲよりも広いダイナミックレンジである。また、本実施例では、ＨＤＲ（第１のダイナミックレンジ）を有する画像データを「ＨＤＲ画像データ（第１画像データ）」と記載し、ＨＤＲ画像データ（第１画像データ）に基づく画像を「ＨＤＲ画像（第１画像）」と記載する。そして、本実施例では、ＳＤＲ（第２のダイナミックレンジ）を有する画像データを「ＳＤＲ画像データ（第２画像データ）」と記載し、ＳＤＲ画像データ（第２画像データ）に基づく画像を「ＳＤＲ画像（第２画像）」と記載する。
【００２９】
上述したように、ユーザによって指定されるガンマ２．２特性、ガンマ２．６特性、ＨＬＧ特性、ＰＱ特性、等の階調特性は、変換画像データの階調特性である。そのため、本
実施例では、ＨＤＲ画像データとＳＤＲ画像データとは、画像処理部１０４により生成される画像データである。なお、第１のダイナミックレンジはＨＤＲに限られないし、第２のダイナミックレンジはＳＤＲに限られない。第２のダイナミックレンジが第１のダイナミックレンジよりも狭ければ、第１のダイナミックレンジと第２のダイナミックレンジとはどのようなダイナミックレンジであってもよい。
【００３０】
ＵＩ部１０９は、上限表示輝度を指定するユーザ操作に応じて輝度情報を取得（生成）し、不図示の揮発性メモリに輝度情報を記録し、表示制御部１１０に対して所定の輝度設定通知（上限表示輝度が指定された旨の通知）を行う。また、ＵＩ部１０９は、変換画像データの階調特性を指定するユーザ操作に応じて階調特性情報を取得（生成）し、不図示の揮発性メモリに階調特性情報を記録し、表示制御部１１０に対して所定の特性設定通知（階調特性が指定された旨の通知）を行う。なお、輝度情報が揮発性メモリに記録された後には、上限表示輝度が変更された場合に限って、輝度情報の記録（更新）と所定の輝度設定通知（輝度情報が更新された旨の通知）とが行われてもよい。また、階調特性情報が揮発性メモリに記録された後には、変換画像データの階調特性が変更された場合に限って、階調特性情報の記録（更新）と所定の特性設定通知（階調特性情報が更新された旨の通知）とが行われてもよい。
【００３１】
表示制御部１１０は、ＵＩ部１０９による特性設定通知に応じて、揮発性メモリから階調特性情報を読み出し、読み出した階調特性情報を画像処理部１０４に対して設定する。また、表示制御部１１０は、ＵＩ部１０９による輝度設定通知に応じて、揮発性メモリから輝度情報を読み出し、読み出した輝度情報を表示部１０７に対して設定する。また、表示制御部１１０は、入力画像データの数に応じたレイアウト情報を、画像レイアウト部１０６に対して設定する。例えば、入力画像データの数が１つである場合には、画面の中央部、画面の全領域、等を補正画像の表示領域として示すレイアウト情報が設定される。入力画像データの数が２つである場合には、第１補正画像と第２補正画像が左右に並べて表示されるように、左右に並んだ表示領域を示すレイアウト情報が設定される。図３は、入力画像データの数が２つである場合の表示画像（画面に表示された画像）の一例を示す。図３の例では、第１補正画像１２０が左側に表示されており、第２補正画像１２１が右側に表示されている。なお、表示領域を指定するユーザ操作に応じて、指定された表示領域を示すレイアウト情報が生成されてもよい。
【００３２】
表示判断部１１１は、ＨＤＲ画像とＳＤＲ画像とが表示部１０７（画面）に表示されるか否かを判断し、判断結果を補正情報生成部１１２へ出力する。判断方法は特に限定されないが、本実施例では、表示判断部１１１は、画像処理部１０４に設定されている階調特性情報に基づいて、ＨＤＲ画像とＳＤＲ画像とが表示部１０７に表示されるか否かを判断する。具体的には、複数の入力画像データが表示装置１００に入力されており、且つ、ＨＤＲに対応する階調特性情報と、ＳＤＲに対応する階調特性情報との両方が設定されている場合に、表示判断部１１１は、ＨＤＲ画像とＳＤＲ画像とが表示される、と判断する。そして、それ以外の場合に、表示判断部１１１は、ＨＤＲ画像とＳＤＲ画像の一方のみが表示される、と判断する。ＨＤＲに対応する階調特性情報は、ＨＬＧ特性、ＰＱ特性、等に対応する階調特性情報である。ＳＤＲに対応する階調特性情報は、ガンマ２．２特性、ガンマ２．６特性、等に対応する階調特性情報である。なお、表示判断部１１１は、ユーザ操作に応じて、ＨＤＲ画像とＳＤＲ画像とが表示部１０７に表示されるか否かを判断してもよい。具体的には、ＨＤＲ画像とＳＤＲ画像とを表示部１０７に表示させる表示モードを指定するユーザ操作がなされたか否かを検知して、ＨＤＲ画像とＳＤＲ画像とが表示部１０７に表示されるか否かを判断してもよい。また、複数の画像を表示する表示モードにおいて、ＨＤＲ画像とＳＤＲ画像とを含む画像の表示を指定するユーザ操作がなされたか否かを検知して、ＨＤＲ画像とＳＤＲ画像とが表示部１０７に表示されるか否かを判断してもよい。
【００３３】
補正情報生成部１１２は、表示判断部１１１の判断結果に基づいて補正情報を生成し、生成した補正情報を輝度補正部１０５へ出力する。補正情報とその生成方法とは特に限定されないが、本実施例では、補正情報として、変換画像データの取り得る複数の階調値の間で共通の１つの輝度補正値が生成（決定）される。また、本実施例では、輝度補正値として、階調値に乗算するゲイン値が生成される。
【００３４】
本実施例では、ＨＤＲ画像とＳＤＲ画像との両方が表示される、と判断された場合に、補正情報生成部１１２は、以下の条件１，２が満たされるように、第１補正情報（第１輝度補正値）と第２補正情報（第２輝度補正値）とを決定する。
条件１：輝度情報に関連した表示輝度に従ってＨＤＲ画像が表示される。
条件２：輝度情報に関連した表示輝度よりも低い表示輝度に従ってＳＤＲ画像が表示される。
【００３５】
具体的には、補正情報生成部１１２は、ＳＤＲ画像データである変換画像データを補正する輝度補正値を、表示部１０７に設定されている輝度情報（上限表示輝度）に基づいて算出する。より具体的には、補正情報生成部１１２は、輝度補正値を、以下の式１を用いて算出する。式１において、「表示ガンマ」は、表示部１０７（液晶パネル）のガンマ値である。表示ガンマの値は特に限定されないが、本実施例では、表示ガンマの値は２．２である。
輝度補正値
＝（１００［ｃｄ／ｍ２］／上限表示輝度［ｃｄ／ｍ２］）１／表示ガンマ
・・・（式１）
【００３６】
上述したように、本実施例では、バックライトユニットは、輝度情報に関連した表示輝度（上限表示輝度）に対応する発光輝度で発光する。そのため、式１で算出された輝度補正値を使用することにより、所定の表示輝度（１００［ｃｄ／ｍ２］）に従ってＳＤＲ画像が表示されるように、ＳＤＲ画像データが補正される。具体的には、ＳＤＲ画像の表示輝度の上限が１００［ｃｄ／ｍ２］と一致するように、ＳＤＲ画像データが補正される。なお、所定の表示輝度は１００［ｃｄ／ｍ２］に限られない。
【００３７】
そして、補正情報生成部１１２は、ＨＤＲ画像データである変換画像データを補正する輝度補正値として、１を出力する。輝度補正値＝１が使用された場合には、補正画像データとして、変換画像データと同じ画像データが得られる。そのため、本実施例では、ＨＤＲ画像データである変換画像データからは、当該変換画像データと同じ補正画像データが生成される。即ち、ＨＤＲ画像データは補正されない。変換画像データその結果、輝度情報に関連した表示輝度に従ってＨＤＲ画像が表示される。具体的には、上限が輝度情報に関連した表示輝度と一致するような表示輝度で、ＨＤＲ画像が表示される。
【００３８】
また、本実施例では、ＨＤＲ画像とＳＤＲ画像の一方のみが表示される、と判断された場合には、補正情報生成部１１２は、第１輝度補正値および第２輝度補正値として、１を出力する。なお、輝度補正値＝１の場合には、変換画像データの補正（変換画像データの各階調値に輝度補正値を乗算する処理）は省略され、変換画像データが補正画像データとして使用されてもよい。また、ＨＤＲ画像とＳＤＲ画像が表示される場合において、ＳＤＲ画像データだけでなく、ＨＤＲ画像データがさらに補正されてもよい。
【００３９】
表示装置１００の処理フローの一例について、図４のフローチャートを用いて説明する。図４のフローチャートが開始されるタイミングは特に限定されない。例えば、図４のフローチャートは、ＵＩ部１０９から表示制御部１１０への通知（輝度設定通知、特性設定通知、等）が行われたことをトリガとして開始される。
【００４０】
まず、表示判断部１１１は、画像処理部１０４に設定されている階調特性情報に基づいて、ＨＤＲ画像とＳＤＲ画像とが表示部１０７に表示されるか否かを判断する（Ｓ１０１）。例えば、第１入力画像データと第２入力画像データが表示装置１００に入力され、第１特性情報がＨＬＧ特性に対応し、且つ、第２特性情報がガンマ２．２特性に対応する場合に、ＨＤＲ画像とＳＤＲ画像とが表示される、と判断される。
【００４１】
ＨＤＲ画像とＳＤＲ画像とが表示される、と判断された場合には（Ｓ１０１：Ｙｅｓ）、補正情報生成部１１２は、式１を用いて、ＳＤＲ画像に対応する輝度補正値を算出する（Ｓ１０２）。また、補正情報生成部１１２は、ＨＤＲ画像に対応する輝度補正値として１を採用する。例えば、第１特性情報がＨＬＧ特性に対応し、第２特性情報がガンマ２．２特性に対応し、且つ、輝度情報（上限表示輝度）が４００［ｃｄ／ｍ２］である場合には、第１輝度補正値として１が採用される。そして、第２輝度補正値として０．５３（＝（１／４００）１／２．２）が算出される。その後、Ｓ１０３へ処理が進められる。
【００４２】
ＨＤＲ画像とＳＤＲ画像の一方のみが表示される、と判断された場合には（Ｓ１０１：Ｎｏ）、補正情報生成部１１２は、第１輝度補正値と第２輝度補正値との両方として、１を採用する（Ｓ１０３）。その後、Ｓ１０３へ処理が進められる。
【００４３】
その後、補正情報生成部１１２は、採用（算出）した輝度補正値を、輝度補正部１０５に対して設定する（Ｓ１０４）。
【００４４】
図５（Ａ），５（Ｂ）は、変換画像データ（または入力画像データ）の階調値と、表示装置１００の表示輝度との対応関係の一例を示す図である。図５（Ａ）は、輝度補正値＝１を用いた場合の例を示し、図５（Ｂ）は、式１により算出された輝度補正値を用いた場合の例を示す。画像データのビット数は特に限定されないが、図５（Ａ），５（Ｂ）の例では、画像データの階調値は８ビットの値（０〜２５５）である。また、輝度情報に関連した上限表示輝度は特に限定されないが、図５（Ａ），５（Ｂ）の例では、輝度情報に関連した上限表示輝度は４００［ｃｄ／ｍ２］である。
【００４５】
図５（Ａ）に示すように、輝度補正値＝１が使用された場合には、変換画像データの取り得る階調値の上限（２５５）に対応する表示輝度が４００［ｃｄ／ｍ２］に一致するように、変換画像データが補正されて表示される。上述したように、ＨＤＲ画像とＳＤＲ画像が表示される場合に、ＨＤＲ画像については、輝度補正値＝１が使用される。そのため、ＨＤＲ画像は、上限が４００［ｃｄ／ｍ２］に一致するような表示輝度で表示される。
【００４６】
図５（Ｂ）に示すように、式１により算出された輝度補正値が使用された場合には、変換画像データの取り得る階調値の上限（２５５）に対応する表示輝度が１００［ｃｄ／ｍ２］に一致するように、変換画像データが補正されて表示される。上述したように、ＨＤＲ画像とＳＤＲ画像が表示される場合に、ＳＤＲ画像については、式１により算出された輝度補正値が使用される。そのため、ＳＤＲ画像は、上限が１００［ｃｄ／ｍ２］に一致するような表示輝度で表示される。
【００４７】
以上述べたように、本実施例によれば、輝度情報が取得され、第１画像と第２画像とが表示部（画面）に表示される場合に、ＳＤＲ画像データ（第２画像データ）が補正される。具体的には、輝度情報に関連した表示輝度に従って第１画像が表示され、且つ、輝度情
報に関連した表示輝度よりも低い表示輝度に従って第２画像が表示されるように、ＳＤＲ画像データ（第２画像データ）が補正される。それにより、複数の画像を表示部に表示する際に各画像を好ましい輝度で表示することを、簡易な構成で実現することができる。具体的には、バックライトユニットの発光輝度を部分的に変更可能にする構成、表示部に入力される階調値と、表示輝度との対応関係を部分的に変更可能にする構成、等を採用せずに、画像処理により、各画像を好ましい輝度で表示することができる。
【００４８】
なお、本実施例では、１つまたは２つの画像が画面に表示される例を説明したが、画面に表示される画像の数は３つ以上であってもよい。また、本実施例では、表示装置に入力される画像データの最大数が２つである場合の例を説明したが、当該最大数は、１つであってもよいし、３つ以上であってもよい。また、本実施例では、１つの入力画像データから１つの変換画像データが生成される例を説明したが、１つの入力画像データから、階調特性が互いに異なる複数の変換画像データが生成されてもよい。
【００４９】
＜実施例２＞
以下、本発明の実施例２について説明する。実施例１では、所定の表示輝度（１００［ｃｄ／ｍ２］）に従ってＳＤＲ画像が表示されるようにＳＤＲ画像データが補正される例を説明した。本実施例では、実施例１とは異なる方法でＳＤＲ画像データを補正する例を説明する。なお、以下では、実施例１と異なる構成や処理について説明し、実施例１と同様の構成や処理についての説明は省略する。
【００５０】
ＳＴ２０８４の規定では、ＨＤＲ画像の輝度の上限は１００００［ｃｄ／ｍ２］である。しかし、表示装置の表示輝度には制限があり、表示輝度の上限が１００００［ｃｄ／ｍ２］よりも低い表示装置がある。そのような表示装置では、１００００［ｃｄ／ｍ２］よりも低い表示輝度に関連した輝度情報が取得され、１００００［ｃｄ／ｍ２］よりも低い表示輝度に従ってＨＤＲ画像が表示される。
【００５１】
図６は、規格で定められた輝度（規格輝度）と、表示装置の表示輝度との対応関係の一例を示す。図６では、規格輝度の上限が１２００［ｃｄ／ｍ２］であり、表示輝度の上限が６００［ｃｄ／ｍ２］である。この場合には、図６に示すように、画像（ＨＤＲ画像）の各規格輝度は、規格輝度の１／２の表示輝度で表示される。例えば、規格輝度＝１２００［ｃｄ／ｍ２］は、表示輝度＝６００［ｃｄ／ｍ２］で表示される。そして、規格輝度の上限が１２００［ｃｄ／ｍ２］であるＨＤＲ画像と、ＳＤＲ画像とユーザが確認する場合には、表示輝度比（ＨＤＲ画像の輝度：ＳＤＲ画像の輝度）＝１２００：１００＝１２：１で、ＨＤＲ画像とＳＤＲ画像とが表示されることが好ましい。
【００５２】
そこで、本実施例では、ＨＤＲ画像とＳＤＲ画像とが表示部に表示される場合に、ＨＤＲ画像の表示輝度と、ＳＤＲ画像の表示輝度との比が所定比となるように、少なくともＳＤＲ画像データを補正する。その結果、規格輝度よりも低い表示輝度でＨＤＲ画像が表示される場合に、ＨＤＲ画像の輝度低下率（規格輝度に対する表示輝度（ＨＤＲ画像の表示輝度）の割合）でＳＤＲ画像の表示輝度も低下される。
【００５３】
図７は、本実施例に係る表示装置２００の構成の一例を示すブロック図である。図７において、実施例１（図１）と同じ機能部には、実施例１と同じ符号が付されている。表示装置２００は、画像入力部１０１、画像処理部１０４、輝度補正部１０５、画像レイアウト部１０６、表示部１０７、ＣＰＵ１０８、ＵＩ部１０９、表示制御部１１０、表示判断部１１１、及び、補正情報生成部２０１を有する。以下では、輝度情報に関連した上限表示輝度が６００［ｃｄ／ｍ２］であり、且つ、ＨＤＲ画像の規格輝度と、表示装置２００の表示輝度との対応関係が図６に示す対応関係である場合の例を説明する。
【００５４】
補正情報生成部２０１は、実施例１の補正情報生成部１１２と同様に、表示判断部１１１の判断結果に基づいて補正情報を生成し、生成した補正情報を輝度補正部１０５へ出力する。本実施例では、ＨＤＲ画像とＳＤＲ画像との両方が表示される、と判断された場合に、ＨＤＲ画像の表示輝度：ＳＤＲ画像の表示輝度＝１２：１（所定比）となるように、補正情報が生成される。補正情報とその生成方法とは特に限定されないが、本実施例では、補正情報生成部２０１は、実施例１の方法で算出した輝度補正値に、輝度情報に関連した上限表示輝度と上限規格輝度（規格輝度の上限）との比がさらに乗算される。それにより、ＳＤＲ画像に対応する輝度補正値が算出される。また、実施例１と同様に、ＨＤＲ画像に対応する輝度補正値として、１が採用される。
【００５５】
上限規格輝度は、ＨＤＲ画像のデータフォーマットに応じて決まる。表示装置２００では、例えば、ユーザにより指定された階調特性（ＨＤＲ画像に対応する変換画像データの階調特性）に応じて、上限規格輝度が決定されて使用される。具体的には、階調特性と上限規格輝度との対応関係が予め定められており、指定された階調特性に対応する上限規格輝度が選択されて使用される。例えば、ＨＬＧ特性が指定された場合には上限規格輝度＝１２００［ｃｄ／ｍ２］が使用され、ＰＱ特性が指定された場合には上限規格輝度＝１００００［ｃｄ／ｍ２］が使用される。
【００５６】
例えば、補正情報生成部２０１は、ＳＤＲ画像に対応する輝度補正値を、以下の式２を用いて算出する。
輝度補正値
＝（（１００／上限表示輝度）×（上限表示輝度／上限規格輝度））１／表示ガンマ
・・・（式２）
【００５７】
式２は、以下の式３のように簡略化することができる。つまり、本実施例では、ＳＤＲ画像に対応する輝度補正値を、上限規格輝度に基づいて算出することができる。
輝度補正値＝（１００／上限規格輝度）１／表示ガンマ  ・・・（式３）
【００５８】
上記処理により、ＨＤＲ画像の表示輝度は変更されず、ＳＤＲ画像の表示輝度は１／１２倍の表示輝度に低減される。その結果、上限が６００［ｃｄ／ｍ２］と一致するような表示輝度でＨＤＲ画像が表示され、上限が５０（＝６００／１２）［ｃｄ／ｍ２］と一致するような表示輝度でＳＤＲ画像が表示される。つまり、表示輝度比（ＨＤＲ画像の輝度：ＳＤＲ画像の輝度）＝１２：１で、ＨＤＲ画像とＳＤＲ画像とが表示される。なお、所定比は１２：１に限られない。
【００５９】
以上述べたように、本実施例によれば、ＨＤＲ画像の表示輝度と、ＳＤＲ画像の表示輝度との比が所定比となるように、ＳＤＲ画像データ（第２画像データ）が補正される。それにより、複数の画像を表示部に表示する際に各画像を好ましい輝度比で表示することを、簡易な構成で実現することができる。
【００６０】
＜実施例３＞
以下、本発明の実施例３について説明する。なお、以下では、実施例１と異なる構成や処理について説明し、実施例１と同様の構成や処理についての説明は省略する。本実施例の構成は、実施例２の構成に組み合わせることもできる。実施例１では、輝度情報と階調特性情報がユーザ操作に応じて取得される例を説明した。本実施例では、輝度情報と階調特性情報が入力画像データのメタデータに含まれており、メタデータから輝度情報と階調
特性情報が取得される例を説明する。
【００６１】
図８は、本実施例に係る表示装置４００の構成の一例を示すブロック図である。図８において、実施例１（図１）と同じ機能部には、実施例１と同じ符号が付されている。表示装置４００には、画像出力装置３００と特性情報変更装置３１０とが接続されている。また、画像出力装置３００と特性情報変更装置３１０とは互いに接続されている。装置間の接続方法は特に限定されないが、本実施例では、ＳＤＩケーブルを用いて複数の装置が互いに接続される。
【００６２】
画像出力装置３００は、画像データを出力する。画像出力装置３００は、ＨＤＲ画像データを出力することができる。画像出力装置３００としては、デジタルカメラ、レコーダ、ＰＣ、等を使用することができる。本実施例では、輝度情報と階調特性情報を含むメタデータが画像データに付加され、メタデータが付加された後の画像データが画像出力装置３００から出力される。本実施例では、画像データとしてＳＤＩ信号が画像出力装置３００から出力され、メタデータはＳＤＩ信号のアンシラリー領域に付加される。メタデータに含まれた輝度情報は、例えば、メタデータに含まれた階調特性情報に対応する上限規格輝度に関する情報、画像出力装置３００から出力される画像データの規格輝度の最大輝度に関する情報、等である。
【００６３】
画像出力装置３００から出力される画像データの階調特性は特に限定されないが、本実施例では、ＰＱ特性を有するＨＤＲ画像データが画像出力装置３００から出力される例を説明する。また、本実施例では、ＰＱ特性に関する階調特性情報が上記ＨＤＲ画像データのメタデータに含められる例を説明する。即ち、本実施例では、画像出力装置３００から出力される画像データの階調特性に関する階調特性情報が、画像出力装置３００から出力される画像データのメタデータに含められる。なお、画像出力装置３００から出力された画像データの階調特性は、当該画像データのメタデータに含められた階調特性情報に関連した階調特性と異なっていてもよい。
【００６４】
特性情報変更装置３１０は、画像出力装置３００から出力された画像データに対して、メタデータに含まれている階調特性情報を変更する処理を施し、処理が施された後の画像データを出力する。特性情報変更装置３１０としては、ＰＣなどを使用することができる。なお、特性情報変更装置３１０は、画像出力装置３００に設けられていてもよい。
【００６５】
特性情報変更装置３１０から出力される画像データの階調特性は特に限定されない。本実施例では、特性情報変更装置３１０は、画像出力装置３００から出力された画像データ（ＰＱ特性を有するＨＤＲ画像データ）を、ガンマ２．２特性を有するＳＤＲ画像データに変換する。特性情報変更装置３１０は、ガンマ２．２特性に関する階調特性情報を含むメタデータを、上記ＳＤＲ画像データに付加する。そして、特性情報変更装置３１０は、得られたＳＤＲ画像データ（ガンマ２．２特性を有し、且つ、ガンマ２．２特性に関する階調特性情報を含むメタデータが付加されたＳＤＲ画像データ）を出力する。即ち、本実施例では、特性情報変更装置３１０から出力される画像データの階調特性に関する階調特性情報が、特性情報変更装置３１０から出力される画像データのメタデータに含められる。なお、特性情報変更装置３１０から出力された画像データの階調特性は、当該画像データのメタデータに含められた階調特性情報に関連した階調特性と異なっていてもよい。また、特性情報変更装置３１０に入力された画像データの階調特性を変換する処理は行われなくてもよい。
【００６６】
表示装置４００は、画像入力部４０１、画像処理部１０４、輝度補正部１０５、画像レイアウト部１０６、表示部１０７、ＣＰＵ１０８、ＵＩ部１０９、表示制御部４０２、表示判断部１１１、及び、補正情報生成部１１２を有する。
【００６７】
画像入力部４０１は、実施例１の画像入力部１０１と同様に、表示装置４００の外部から画像データ（入力画像データ）を取得し、入力画像データを画像処理部１０４へ出力する。さらに、画像入力部４０１は、取得した画像データに付加されているメタデータを、表示制御部４０２へ出力する。本実施例では、画像入力部４０１は、第１入力部４０３と第２入力部４０４とを有する。第１入力部４０３は、画像出力装置３００から出力された画像データ（第１入力画像データ）を取得し、第１入力画像データを画像処理部１０４へ出力する。さらに、第１入力部４０３は、第１入力画像データに付加されているメタデータを表示制御部４０２へ出力する。第２入力部４０４は、特性情報変更装置３１０から出力された画像データ（第２入力画像データ）を取得し、第２入力画像データを画像処理部１０４へ出力する。さらに、特性情報変更装置３１０は、第２入力画像データに付加されているメタデータを表示制御部４０２へ出力する。
【００６８】
表示制御部４０２は、実施例１の表示制御部１１０と同様に、階調特性情報の設定、輝度情報の設定、及び、レイアウト情報の設定を行う。但し、本実施例では、表示制御部４０２は、画像入力部４０１から出力されたメタデータから階調特性情報と輝度情報を取得する。そして、表示制御部４０２は、メタデータから取得された階調特性情報を画像処理部１０４に対して設定し、メタデータから取得された輝度情報を表示部１０７に対して設定する。具体的には、第１入力部４０３から出力されたメタデータに含まれている階調特性情報が、第１特性情報として設定され、第２入力部４０４から出力されたメタデータに含まれている階調特性情報が、第２特性情報として設定される。そして、第１入力部４０３から出力されたメタデータに含まれている輝度情報が設定される。第２入力部４０４から出力されたメタデータに含まれている輝度情報が設定されてもよい。
【００６９】
なお、実施例１と同様に、ユーザ操作に応じて階調特性情報が取得されてもよい。その場合には、メタデータから取得された階調特性情報と、ユーザ操作に応じて取得された階調特性情報との一方が設定される。例えば、メタデータから階調特性情報が取得された場合には、ユーザ操作に応じて階調特性情報が取得されたか否かに拘らず、メタデータから取得された階調特性情報が設定される。そして、メタデータから階調特性情報が取得されなかった場合には、ユーザ操作に応じて取得された階調特性情報が設定される。ユーザ操作に応じて階調特性情報が取得された場合に、メタデータから階調特性情報が取得されたか否かに拘らず、ユーザ操作に応じて取得された階調特性情報が設定されてもよい。第１特性情報と第２特性情報との一方が、メタデータから取得された階調特性情報であり、他方が、ユーザ操作に応じて取得された階調特性情報であってもよい。また、１つの入力画像データのメタデータに複数の階調特性情報が含まれており、当該複数の階調特性情報が設定され、当該複数の階調特性情報にそれぞれ対応する複数の変換画像データが生成されてもよい。
【００７０】
また、実施例１と同様に、ユーザ操作に応じて輝度情報が取得されてもよい。その場合には、メタデータから取得された輝度情報と、ユーザ操作に応じて取得された輝度情報との一方が設定される。例えば、メタデータから輝度情報が取得された場合には、ユーザ操作に応じて輝度情報が取得されたか否かに拘らず、メタデータから取得された輝度情報が設定される。そして、メタデータから輝度情報が取得されなかった場合には、ユーザ操作に応じて取得された輝度情報が設定される。ユーザ操作に応じて輝度情報が取得された場合に、メタデータから輝度情報が取得されたか否かに拘らず、ユーザ操作に応じて取得された輝度情報が設定されてもよい。また、メタデータに含まれている輝度情報に関連した上限表示輝度での表示を表示装置が行えない場合に、表示装置の取り得る表示輝度（表示輝度の上限）に関する情報へ、メタデータに含まれている輝度情報が補正され、補正後の輝度情報が設定されてもよい。輝度情報と階調特性情報の一方がメタデータから取得され、他方がユーザ操作に応じて取得されてもよい。
【００７１】
なお、入力画像データの階調特性が、設定された階調特性情報に関連した階調特性と一致する場合には、入力画像データと同じ画像データが変換画像データとして得られる。そのため、その場合には、画像処理部１０４において、入力画像データの階調特性を変換する処理が省略されてもよい。但し、入力画像データで想定されている表示ガンマが表示部１０７の表示ガンマと異なる場合がある。その場合には、入力画像データの階調特性が、設定された階調特性情報に関連した階調特性と一致していても、入力画像データで想定されている表示ガンマを表示部１０７の表示ガンマに合わせる画像処理が必要となる。
【００７２】
以上述べたように、本実施例によれば、入力画像データのメタデータから輝度情報と階調特性情報が取得される。それにより、輝度情報と階調特性情報を得るためのユーザ操作が不要となり、ユーザの負荷を低減することができる。また、本実施例によれば、実施例１と同様に、複数の画像を表示部に表示する際に各画像を好ましい輝度で表示することを、簡易な構成で実現することができる。メタデータに含まれている情報（輝度情報と階調特性情報）は、画像の確認時に使用すべき情報である可能性が高い。そのため、本実施例によれば、複数の画像を表示部に表示する際に各画像を好ましい輝度でより確実に表示することができる。
【００７３】
なお、本実施例では、メタデータがＳＤＩ信号のアンシラリー領域に付加される例を説明したが、これに限られない。例えば、ＨＤＭＩ（登録商標；Ｈｉｇｈ  Ｄｅｆｉｎｉｔｉｏｎ  Ｍｕｌｔｉｍｅｄｉａ  Ｉｎｔｅｒｆａｃｅ）のＩｎｆｏＦｒａｍｅにメタデータが付加されてもよい。
【００７４】
＜実施例４＞
以下、本発明の実施例４について説明する。実施例１では、ＨＤＲ画像の表示輝度に拘らず所定の表示輝度（１００［ｃｄ／ｍ２］）に従ってＳＤＲ画像が表示される例を説明した。しかし、１００００［ｃｄ／ｍ２］のような高輝度でＨＤＲ画像が表示される場合に１００［ｃｄ／ｍ２］でＳＤＲ画像が表示されると、ＨＤＲ画像とＳＤＲ画像との間の表示輝度の差が大きすぎることにより、ＳＤＲ画像が見づらくなる。そこで、本実施例では、輝度情報に関連した表示輝度が所定の閾値以上であるか否かに応じてＳＤＲ画像の表示輝度を切り替える例を説明する。なお、以下では、実施例１と異なる構成や処理について説明し、実施例１と同様の構成や処理についての説明は省略する。本実施例の構成は、実施例３の構成に組み合わせることもできる。
【００７５】
図９は、本実施例に係る表示装置５００の構成の一例を示すブロック図である。図９において、実施例１（図１）と同じ機能部には、実施例１と同じ符号が付されている。表示装置５００は、画像入力部１０１、画像処理部１０４、輝度補正部１０５、画像レイアウト部１０６、表示部１０７、ＣＰＵ１０８、ＵＩ部１０９、表示制御部１１０、表示判断部１１１、及び、補正情報生成部５０１を有する。
【００７６】
補正情報生成部５０１は、実施例１の補正情報生成部１１２と同様に、表示判断部１１１の判断結果と輝度情報とに基づいて補正情報を生成し、生成した補正情報を輝度補正部１０５へ出力する。但し、本実施例では、ＨＤＲ画像とＳＤＲ画像とが表示部１０７に表示され、且つ、輝度情報に関連した表示輝度（上限表示輝度）が所定の閾値よりも低い場合に、所定の表示輝度に従ってＳＤＲ画像が表示されるように、補正情報が生成される。そして、本実施例では、ＨＤＲ画像とＳＤＲ画像とが表示部１０７に表示され、且つ、上限表示輝度が所定の閾値以上である低い場合に、ＨＤＲ画像の表示輝度とＳＤＲ画像の表示輝度との比が所定比となるように、補正情報が生成される。具体的には、実施例１と同様に、ＨＤＲ画像に対応する輝度補正値として、１が採用される。そして、ＳＤＲ画像に対応する輝度補正値が以下の方法で算出される。なお、補正情報とその生成方法とは特に
限定されない。
【００７７】
まず、ＨＤＲ画像とＳＤＲ画像とが表示部１０７に表示され、且つ、上限表示輝度が所定の閾値よりも低い場合について説明する。この場合には、所定の表示輝度に従ってＳＤＲ画像が表示されるように、ＳＤＲ画像に対応する輝度補正値が算出される。所定の閾値と所定の表示輝度とは特に限定されないが、本実施例では、所定の閾値が１０００［ｃｄ／ｍ２］であり、且つ、所定の表示輝度が１００［ｃｄ／ｍ２］である例を説明する。本実施例では、ＨＤＲ画像とＳＤＲ画像とが表示部１０７に表示され、且つ、上限表示輝度が１０００［ｃｄ／ｍ２］よりも低い場合に、実施例１の式１を用いて、ＳＤＲ画像に対応する輝度補正値が算出される。
【００７８】
次に、ＨＤＲ画像とＳＤＲ画像とが表示部１０７に表示され、且つ、上限表示輝度が所定の閾値以上である場合について説明する。この場合には、ＨＤＲ画像の表示輝度とＳＤＲ画像の表示輝度との比が所定比となるように、ＳＤＲ画像に対応する輝度補正値が生成される。所定比は特に限定されないが、本実施例では、所定比（ＨＤＲ画像の表示輝度：ＳＤＲ画像の表示輝度）が１：１０である例を説明する。本実施例では、ＨＤＲ画像とＳＤＲ画像とが表示部１０７に表示され、且つ、上限表示輝度が所定の閾値以上である場合に、以下の式４を用いて、ＳＤＲ画像に対応する輝度補正値が算出される。
輝度補正値＝（１／１０）１／表示ガンマ  ・・・（式４）
【００７９】
図１０は、ＨＤＲ画像の表示輝度の上限と、ＳＤＲ画像の表示輝度の上限との対応関係の一例を示す。本実施例の上記方法によれば、ＨＤＲ画像の表示輝度の上限が１０００［ｃｄ／ｍ２］よりも低い場合に、上限が１００［ｃｄ／ｍ２］と一致するような表示輝度でＳＤＲ画像が表示される。そして、ＨＤＲ画像の表示輝度の上限が１０００［ｃｄ／ｍ２］以上である場合に、ＨＤＲ画像の表示輝度の１／１０の表示輝度でＳＤＲ画像が表示される。
【００８０】
以上述べたように、本実施例によれば、輝度情報に関連した表示輝度が所定の閾値以上であるか否かに応じてＳＤＲ画像の表示輝度が切り替えられる。それにより、実施例１，２と同様に、複数の画像を表示部に表示する際に各画像を好ましい輝度で表示することを、簡易な構成で実現することができると共に、ＳＤＲ画像の視認性の低下を抑制することができる。
【００８１】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００８２】
１００，２００，４００，５００：表示装置  １０５：輝度補正部  １０９：ＵＩ部
１１０，４０２：表示制御部  １１２，２０１，５０１：補正情報生成部
【図１】
2020118990.tif 000003
【図２】
2020118990.tif 000004
【図３】
2020118990.tif 000005
【図４】
2020118990.tif 000006
【図５】
2020118990.tif 000007
【図６】
2020118990.tif 000008
【図７】
2020118990.tif 000009
【図８】
2020118990.tif 000010
【図９】
2020118990.tif 000011
【図１０】
2020118990.tif 000012
【手続補正書】
【提出日】令和2年5月25日(2020.5.25)
【手続補正１】
【補正対象書類名】特許請求の範囲
【補正対象項目名】全文
【補正方法】変更
【補正の内容】
【特許請求の範囲】
【請求項１】
画像のデータを取得する入力部と、
前記画像のデータを補正する補正部と、
前記画像のデータに基づいて画面に前記画像を表示する表示部と、
を有し、
前記補正部は、前記画面にＳＤＲ画像及びＨＤＲ画像を並べて表示する場合に、前記ＳＤＲ画像の表示輝度の上限のほうが前記ＨＤＲ画像の表示輝度の上限よりも低くなるように、前記ＳＤＲ画像のデータを補正する
ことを特徴とする表示装置。
【請求項２】
画像のデータを取得する入力部と、
前記画像のデータを補正する補正部と、
前記画像のデータに基づいて画面に前記画像を表示する表示部と、
を有し、
前記補正部は、ＳＤＲ画像を前記画面に表示し且つＨＤＲ画像を前記画面に表示しない第１の場合における前記ＳＤＲ画像の表示輝度の上限が第１輝度になり、且つ、ＳＤＲ画像及びＨＤＲ画像を前記画面に表示する第２の場合における前記ＳＤＲ画像の表示輝度の上限が前記第１輝度よりも低い第２輝度になるように、前記ＳＤＲ画像のデータを補正する
ことを特徴とする表示装置。
【請求項３】
前記ＨＤＲ画像のデータは、ＰＱ特性又はＨＬＧ特性を持つ
ことを特徴とする請求項１又は２に記載の表示装置。
【請求項４】
前記ＳＤＲ画像のデータは、前記ＨＤＲ画像のデータから生成された画像データであることを特徴とする請求項１又は２に記載の表示装置。
【請求項５】
前記ＳＤＲ画像及び前記ＨＤＲ画像は動画である
ことを特徴とする請求項１又は２に記載の表示装置。
【請求項６】
前記ＳＤＲ画像及び前記ＨＤＲ画像は同じ被写体の画像である
ことを特徴とする請求項１又は２に記載の表示装置。
【請求項７】
前記表示部は、液晶パネルを有する
ことを特徴とする請求項１又は２に記載の表示装置。
【請求項８】
前記表示部は、前記液晶パネルと、前記液晶パネルを照明するバックライトユニットと、を有し、
前記バックライトユニットは、前記画面に前記ＳＤＲ画像及び前記ＨＤＲ画像を並べて表示する場合に、前記液晶パネルの前記ＳＤＲ画像を表示する領域と前記液晶パネルの前記ＨＤＲ画像を表示する領域とを、同じ輝度で照明する
ことを特徴とする請求項７に記載の表示装置。
【請求項９】
前記液晶パネルの前記ＳＤＲ画像を表示する領域は、前記画面に前記ＳＤＲ画像及び前記ＨＤＲ画像を並べて表示する場合に、前記補正部で補正された前記ＳＤＲ画像のデータに応じた透過率で、前記バックライトユニットからの光を透過する
ことを特徴とする請求項８に記載の表示装置。
【請求項１０】
前記表示部は、自発光型の表示パネルを有する
ことを特徴とする請求項１又は２に記載の表示装置。
【請求項１１】
前記ＳＤＲ画像のデータのビット数と前記ＨＤＲ画像のデータのビット数は等しい
ことを特徴とする請求項１又は２に記載の表示装置。
【請求項１２】
前記ＳＤＲ画像及び前記ＨＤＲ画像を並べて前記画面に表示する場合における前記ＨＤＲ画像の表示輝度の上限は、前記表示装置の表示輝度の上限と等しい
ことを特徴とする請求項１又は２に記載の表示装置。
【請求項１３】
前記表示装置の表示輝度の上限を指定するユーザ操作を受け付けるＵＩ部を有する
ことを特徴とする請求項１又は２に記載の表示装置。
【請求項１４】
前記補正部は、前記第１の場合に前記ＳＤＲ画像のデータを補正せず、前記第２の場合に前記ＳＤＲ画像のデータを補正する
ことを特徴とする請求項２に記載の表示装置。
【請求項１５】
前記ＳＤＲ画像のデータは、ガンマ２．２特性又はガンマ２．６特性を持つ
ことを特徴とする請求項３に記載の表示装置。
【請求項１６】
前記入力部は、ＳＤＩ入力端子を有し、
前記画像のデータは、ＳＤＩ信号である
ことを特徴とする請求項１又は２に記載の表示装置。
【請求項１７】
前記ＨＤＲ画像のデータを前記ＳＤＲ画像のデータに変換する特性情報変更装置を有する
ことを特徴とする請求項４に記載の表示装置。
【請求項１８】
画像のデータを取得する入力ステップと、
前記画像のデータを補正する補正ステップと、
前記画像のデータに基づいて画面に前記画像を表示する表示ステップと、
を有し、
前記補正ステップでは、前記画面にＳＤＲ画像及びＨＤＲ画像を並べて表示する場合に
、前記ＳＤＲ画像の表示輝度の上限のほうが前記ＨＤＲ画像の表示輝度の上限よりも低くなるように、前記ＳＤＲ画像のデータを補正する
ことを特徴とする表示方法。
【請求項１９】
画像のデータを取得する入力ステップと、
前記画像のデータを補正する補正ステップと、
前記画像のデータに基づいて画面に前記画像を表示する表示ステップと、
を有し、
前記補正ステップでは、ＳＤＲ画像を前記画面に表示し且つＨＤＲ画像を前記画面に表示しない第１の場合における前記ＳＤＲ画像の表示輝度の上限が第１輝度になり、且つ、ＳＤＲ画像及びＨＤＲ画像を前記画面に表示する第２の場合における前記ＳＤＲ画像の表示輝度の上限が前記第１輝度よりも低い第２輝度になるように、前記ＳＤＲ画像のデータを補正する
ことを特徴とする表示方法。
【請求項２０】
請求項１８又は１９に記載の表示方法の各ステップをコンピュータに実行させるためのプログラム。
【手続補正２】
【補正対象書類名】明細書
【補正対象項目名】０００９
【補正方法】変更
【補正の内容】
【０００９】
本発明の第１の態様は、
画像のデータを取得する入力部と、
前記画像のデータを補正する補正部と、
前記画像のデータに基づいて画面に前記画像を表示する表示部と、
を有し、
前記補正部は、前記画面にＳＤＲ画像及びＨＤＲ画像を並べて表示する場合に、前記ＳＤＲ画像の表示輝度の上限のほうが前記ＨＤＲ画像の表示輝度の上限よりも低くなるように、前記ＳＤＲ画像のデータを補正する
ことを特徴とする表示装置である。
本発明の第２の態様は、
画像のデータを取得する入力部と、
前記画像のデータを補正する補正部と、
前記画像のデータに基づいて画面に前記画像を表示する表示部と、
を有し、
前記補正部は、ＳＤＲ画像を前記画面に表示し且つＨＤＲ画像を前記画面に表示しない第１の場合における前記ＳＤＲ画像の表示輝度の上限が第１輝度になり、且つ、ＳＤＲ画像及びＨＤＲ画像を前記画面に表示する第２の場合における前記ＳＤＲ画像の表示輝度の上限が前記第１輝度よりも低い第２輝度になるように、前記ＳＤＲ画像のデータを補正する
ことを特徴とする表示装置である。
【手続補正３】
【補正対象書類名】明細書
【補正対象項目名】００１０
【補正方法】変更
【補正の内容】
【００１０】
本発明の第３の態様は、
画像のデータを取得する入力ステップと、
前記画像のデータを補正する補正ステップと、
前記画像のデータに基づいて画面に前記画像を表示する表示ステップと、
を有し、
前記補正ステップでは、前記画面にＳＤＲ画像及びＨＤＲ画像を並べて表示する場合に、前記ＳＤＲ画像の表示輝度の上限のほうが前記ＨＤＲ画像の表示輝度の上限よりも低くなるように、前記ＳＤＲ画像のデータを補正する
ことを特徴とする表示方法である。
本発明の第４の態様は、
画像のデータを取得する入力ステップと、
前記画像のデータを補正する補正ステップと、
前記画像のデータに基づいて画面に前記画像を表示する表示ステップと、
を有し、
前記補正ステップでは、ＳＤＲ画像を前記画面に表示し且つＨＤＲ画像を前記画面に表示しない第１の場合における前記ＳＤＲ画像の表示輝度の上限が第１輝度になり、且つ、ＳＤＲ画像及びＨＤＲ画像を前記画面に表示する第２の場合における前記ＳＤＲ画像の表示輝度の上限が前記第１輝度よりも低い第２輝度になるように、前記ＳＤＲ画像のデータを補正する
ことを特徴とする表示方法である。
【手続補正４】
【補正対象書類名】明細書
【補正対象項目名】００１１
【補正方法】変更
【補正の内容】
【００１１】
本発明の第５の態様は、上述した表示方法の各ステップをコンピュータに実行させることを特徴とするプログラムである。
【手続補正５】
【補正対象書類名】明細書
【補正対象項目名】００３７
【補正方法】変更
【補正の内容】
【００３７】
そして、補正情報生成部１１２は、ＨＤＲ画像データである変換画像データを補正する輝度補正値として、１を出力する。輝度補正値＝１が使用された場合には、補正画像データとして、変換画像データと同じ画像データが得られる。そのため、本実施例では、ＨＤＲ画像データである変換画像データからは、当該変換画像データと同じ補正画像データが生成される。即ち、ＨＤＲ画像データは補正されない。その結果、輝度情報に関連した表示輝度に従ってＨＤＲ画像が表示される。具体的には、上限が輝度情報に関連した表示輝度と一致するような表示輝度で、ＨＤＲ画像が表示される。
【手続補正６】
【補正対象書類名】明細書
【補正対象項目名】００４２
【補正方法】変更
【補正の内容】
【００４２】
ＨＤＲ画像とＳＤＲ画像の一方のみが表示される、と判断された場合には（Ｓ１０１：Ｎｏ）、補正情報生成部１１２は、第１輝度補正値と第２輝度補正値との両方として、１を採用する（Ｓ１０３）。その後、Ｓ１０４へ処理が進められる。
【手続補正７】
【補正対象書類名】明細書
【補正対象項目名】００５１
【補正方法】変更
【補正の内容】
【００５１】
図６は、規格で定められた輝度（規格輝度）と、表示装置の表示輝度との対応関係の一例を示す。図６では、規格輝度の上限が１２００［ｃｄ／ｍ２］であり、表示輝度の上限が６００［ｃｄ／ｍ２］である。この場合には、図６に示すように、画像（ＨＤＲ画像）の各規格輝度は、規格輝度の１／２の表示輝度で表示される。例えば、規格輝度＝１２００［ｃｄ／ｍ２］は、表示輝度＝６００［ｃｄ／ｍ２］で表示される。そして、規格輝度の上限が１２００［ｃｄ／ｍ２］であるＨＤＲ画像と、ＳＤＲ画像とをユーザが確認する場合には、表示輝度比（ＨＤＲ画像の輝度：ＳＤＲ画像の輝度）＝１２００：１００＝１２：１で、ＨＤＲ画像とＳＤＲ画像とが表示されることが好ましい。
【手続補正８】
【補正対象書類名】明細書
【補正対象項目名】００７６
【補正方法】変更
【補正の内容】
【００７６】
補正情報生成部５０１は、実施例１の補正情報生成部１１２と同様に、表示判断部１１１の判断結果と輝度情報とに基づいて補正情報を生成し、生成した補正情報を輝度補正部１０５へ出力する。但し、本実施例では、ＨＤＲ画像とＳＤＲ画像とが表示部１０７に表示され、且つ、輝度情報に関連した表示輝度（上限表示輝度）が所定の閾値よりも低い場合に、所定の表示輝度に従ってＳＤＲ画像が表示されるように、補正情報が生成される。そして、本実施例では、ＨＤＲ画像とＳＤＲ画像とが表示部１０７に表示され、且つ、上限表示輝度が所定の閾値以上である場合に、ＨＤＲ画像の表示輝度とＳＤＲ画像の表示輝度との比が所定比となるように、補正情報が生成される。具体的には、実施例１と同様に、ＨＤＲ画像に対応する輝度補正値として、１が採用される。そして、ＳＤＲ画像に対応する輝度補正値が以下の方法で算出される。なお、補正情報とその生成方法とは特に限定されない。